Podtech/llm-jp-corpus-v4-ja_patent huggingface dataset:
(57)【要約】【課題】  掛布団が敷布団から離れたり、位置ずれしたりしないような掛布団カバーの提供。【解決手段】  袋状の掛布団カバー１の足元に布で縫いつけた一枚の布２を敷布団の下に敷く。敷布団と人体の重さによって、掛布団がずれないようになる。それだけでなく、掛布団カバー１に細長い布３を二枚、左右両脇に縫いつける。３と２の布をボタンやスナップ、紐等で使用時に連結することによって、さらに掛布団と敷布団が離れにくくなる。【選択図】  図２
2006141950.tif 000002
【特許請求の範囲】
【請求項１】
寝冷えを防ぐために、掛布団が敷布団から離れたり、掛布団自体が丸まったりしないための掛布団カバー。袋状になっている掛布団カバー本体の足元に一枚の布を結合した布団カバーで、敷布団の下に布部分を敷くことによって、掛布団がずれないようになる。
【請求項２】
袋状になっている掛布団カバー本体の左右両側に細長い布を結合した布団カバーで、請求項１の布部分とボタンやスナップ、紐などで連結することにより、ずれないようになる。
【請求項３】
請求項２の長さを変えることによって、ベッドにも適用でき、掛布団のずれ落ちを防止できる。
【請求項４】
この発明の掛布団と、敷布団の間に、毛布や他の掛布団を入れることにより、他の布団もずれ落ちなくなる。
【発明の詳細な説明】
【技術分野】
【０００１】  本発明は、掛布団が敷布団から離れたり、掛布団自体が丸まったりしないための掛布団カバーに関するものである。
布団に限らず、ベッドにも応用でき、掛布団のずれ落ち防止となる。
【背景技術】
【０００２】  寝返りを打つことにより、掛布団が身体から離れてしまう場合が多い。夜中に寒さに気づき、再び掛布団を正しくかけようとしても、布団が丸まっていたりして、それを直しているうちに完全に目が覚める場合もある。子供の場合は、布団がかかっていない状態で、朝まで気づかず、風をひいたり体調を崩す原因となる。
かと言って、寝袋のように、掛布団と敷き布団が完全にくっついているものは、寒い時期は良いが、春や秋でさえも熱がこもり、汗をかく原因となる。
【発明の開示】
【発明が解決しようとする課題】
【０００３】  寝ている間に、掛布団と敷布団が離れてしまったり、反対に、布団の中に熱がこもった結果汗が冷えてしまったりと、体調を崩すことの無いように、掛布団と敷布団は固定されているが、風通しの良い布団カバーである必要がある。
【課題を解決するための手段】
【０００４】  請求項１に記載の発明は、寝冷えを防ぐために、掛布団が敷布団から離れないようにするためのものである。掛布団がずれないようにするには、敷布団に密着していれば良い。しかし、敷布団と掛布団カバーがつながっていると、カバーの重量が重いものとなり、洗濯の時など大変になる。そこで、掛布団の一部を敷き布団で押さえることによって、どのような形態の敷布団にも適用できるようになる。【０００５】  請求項３に記載の発明は、掛布団の横部分が全く敷布団とつながっていないと、横にずれ易くなるので、それを防ぐためのものである。掛布団に細い布を縫い合わせ、それを敷布団の下に敷いた掛布団の一部である布とボタン・スナップなどで結合する。これが細い布でなく、横全部を覆うような布で結合すると、風邪を全く通さないものとなり、汗をかき易くなり、体調を崩す原因ともなるので、細い布とする。【０００６】  請求項３に記載の発明は、布団のみでなく、請求項２の長さを変えることによって、敷布団のみならず、ベッドにも適用でき、掛布団のずれ落ちを防止できる。【０００７】  請求項４に記載の発明は、敷布団の上に、毛布や他の掛布団を置き、最後に本発明の布団カバーを置くことにより、他の布団もずれ落ちなくなる。
【発明の効果】
【０００８】  布団やベッドで睡眠中、人体にかけた布団や毛布が離れると、風邪をひく原因ともなる。本発明は人体の健康を保つことができる。【０００９】  カバーの形態が複雑でないため、布団に装着・離脱し易い。かつ、使用しやすい。
【実施例】
【００１０】図１に示すように、袋状の掛布団１の足元に、一枚の布２（敷布団と同じくらいの大きさ）を縫い合わせて結合する。縫い方は、１の表布と裏布の間に２をはさみこむようにして縫いつける。布団を敷く場合は、２の布を広げ、その上に敷布団を置く。寒い時には、敷布団を２の布と同じ位置に敷き、比較的温かい時には、敷布団がはみ出るように端を少しずらして敷く。敷布団の上に、つながっている掛布団１を掛ける。この場合、敷布団と人間の重さで２の布を押さえるため、位置ずれしにくくなる。【００１１】図１に示すように、掛布団カバー本体１の左右両側に細長い布３を縫い合わせて結合する。縫い方は、１の表布と裏布の間に３をはさみこむようにして縫いつける。図２のように布団を敷いた時、布２の端と３をボタンやスナップ、紐などで連結することにより、さらにずれないようになる。【００１２】図１に示すように、３ａ・３ｂのボタン位置を変えることによって、図３のように、敷布団のみならずベッドにも適用でき、掛布団のずれ落ちを防止できる。【００１３】  敷布団の上に、毛布や他の掛布団を置き、最後に本発明の布団カバーを置くことにより、他の布団もずれ落ちなくなる
【図面の簡単な説明】
【００１４】
【図１】  寝冷えしない掛布団カバーの平面図である。（カバーを広げた状態）２ａと３ａをボタン、スナップ等で結合する。同じく、２ｂと３ｂをボタン、スナップ等で結合する。
【図２】  布団を敷く場合の重ね方の図である。
【図３】  布団で寝る場合の頭から見た図である。敷布団（又はマットレス）と人間の重さで２の布を押さえる。
【図４】  布団で寝る場合の横から見た図である。掛布団１と敷布団の間に他の布団を掛けている。
【符号の説明】
【００１５】  １    袋状の掛布団
２    敷布団と同じくらいの大きさの一枚の布
３    たて３０センチ〜５０センチ、横７０センチ前後の布
【図１】
2006141950.tif 000003
【図２】
2006141950.tif 000004
【図３】
2006141950.tif 000005
【図４】
2006141950.tif 000006
(57)【要約】【課題】従来の身体粘着テープは粘着剤と皮膚の間に汗が溜まりやすく、皮膚カブレの原因であった。【解決手段】身体粘着テープの伸縮布から粘着剤まで、多数の小円状の通気孔を開けることにより、通気性を高め  皮膚と空気が直接当たるようにし、皮膚カブレの改善ができる。【選択図】図１
2006141947.tif 000002
【特許請求の範囲】
【請求項１】
伸縮布から粘着剤まで、通気孔を設けたことを特徴とする身体粘着テープ。
【請求項２】
前記の身体粘着テープは、多数の小円状の通気孔を伸縮布から粘着剤まで、開けることにより、空気と皮膚が直接当たるようにし、粘着剤による皮膚カブレを改善させる特徴がある。
又  身体曲面や関節等激しい動きで、身体に貼ってある伸縮布テープが伸張状態から復元力で、端からだんだん剥がれようとするのを  多数のひとつひとつの小円状の通気孔が復元力を分散させて、粘着力の耐久性を高め、剥がれにくくする。
【発明の詳細な説明】
【技術分野】
【０００１】この発明は、スポーツ等筋肉補強に用いる身体粘着テープの形状に関する。
【背景技術】
【０００２】従来の身体粘着テープは、図３に示すように通気性がよくないのに着目し、図１に示すように伸縮布から粘着剤まで、通気孔を開け、空気と汗の通気性をよくした。
【発明の開示】
【発明が解決しようとする課題】
【０００３】しかし、従来の身体粘着テープは粘着剤により汗が溜まりやすく、皮膚カブレの原因となっていた。
そこで、本発明は伸縮布から粘着剤まで通気孔を開け、通気性を良くすることで皮膚カブレの改善を提供することを課題とする。
【課題を解決するための手段】
【０００４】以上の課題を解決するために、この発明は伸縮布から粘着剤まで多数の小円状の通気孔を開けたことを特徴とする身体粘着テープである。
【発明の効果】
【０００５】この発明によれば、身体粘着テープに伸縮布から粘着剤まで通気孔を設けたことで、通気性がよくなり、汗の発散がしやすく  皮膚カブレの改善ができる。
【発明を実施するための最良の形態】この発明の一実施形態を図１に示す。
１は伸縮布であり、２は粘着剤であり、３は剥離紙であり、４は通気孔が一体的に設けられている。【０００６】「実施形態の効果１」
この実施形態によれば、多数の小円状の通気孔の働きで、通気性がよくなり、汗が溜まりにくく、皮膚カブレの改善をする。【０００７】「実施形態の効果２」
この実施形態によれば、身体曲面や関節等激しい動きで、身体に貼ってある伸縮布テープが伸張状態から復元力で、端からだんだん剥がれようとするのを多数のひとつひとつの小円状の通気孔が復元力を分散させて、粘着力の耐久性を高め、剥がれにくくする。
【図面の簡単な説明】
【０００８】
【図１】この発明の一実施形態を示す断面図である。４は、通気孔である。
【図２】この発明の一実施形態を示す外観図である。
【図３】従来の技術を示す断面図である。
【図４】従来の技術を示す断面図である。
【符号の説明記号】
【０００９】１  伸縮布
２  粘着剤
３  剥離紙
４  通気孔
【図１】
2006141947.tif 000003
【図２】
2006141947.tif 000004
【図３】
2006141947.tif 000005
【図４】
2006141947.tif 000006
(57)【要約】【課題】  洋式トイレ使用時の、排尿・排泄物及びシャワートイレの水等の、便器本体と便座の隙間からの飛散防止具を提供する。【解決手段】  便座裏側全周（シャワートイレの場合ノズル収納部まで）に沿った形状の、Ｔ字型の下がり壁を形成し、このＴ字型の下がり壁の垂線の先端を２段水切りとし、また、Ｔ字型下がり壁の内周の側面には、水平方向に波形水切りを設けたことを特徴とする、洋式トイレ用飛散防止具。【選択図】  図５
2006141949.tif 000002
【特許請求の範囲】
【請求項１】
便器本体に取り付ける密着用板と、便座裏側の内周に沿った形状の、先端が２段水切になっていて側面が波形状になった弾力性のある細長いＴ字型の下がり壁と、から成る洋式トイレ用飛散防止具。
【発明の詳細な説明】
【技術分野】
【０００１】  本発明は、洋式トイレ使用時に、排尿・排泄物及びシャワートイレの場合などのノズルから出る水が、便器と便座の隙間から漏れるのを防ぐための飛散防止具に関するものである。
【背景技術】
【０００２】  従来、洋式トイレを使用した時は、便器と便座の隙間から漏れて便器の側面とか床が汚れてしまい、その度に掃除するか、若しくは、便器と床の間に、汚れてもいいようにシートを貼っていた。
また、これらを解決するために以下の発明がある。
【特許文献１】特開平１１−６１９３８公報
【特許文献２】特開２００２−３０９６４８公報
【特許文献３】実開平７−１７１９９公報
【特許文献４】実開平７−２３４９８公報
【特許文献５】実開平６−１３６９１公報
【特許文献６】実用新案登録第３０７５２８３号公報
【発明の開示】
【発明が解決しようとする課題】
【０００３】  上記の特許文献１・特許文献２・特許文献３・特許文献４には、便座内周先端部分にのみ飛散を防止するために平らな板状の物を取り付けている。
特許文献５にあっては、便座内周部分に全周板状の物を取り付けている。
特許文献６については、便座に上から被せるもので、内周部分の下がり形状を外周より長くしている。
しかしながら、次のような問題点があるように思われる。
便器と便座の隙間を塞ぐような効果はなく、その隙間から漏れるのを防ぎ様がなく、床等が濡れてしまうため便器の取付床面にシートを貼ったり雑巾を敷くというような消極的な対処しかなされていない。よって問題解決には至っていない。
本発明は、以上の問題点を解決しようとするものである。
【課題を解決するための手段】
【０００４】  便器本体に取り付ける密着用板と、弾力性のある、便座裏側全周に沿った形状の下がり壁を台座裏内側に形成する。該Ｔ字型の下がり壁の垂線の先端を２段水切りとする。また、前記Ｔ字型下がり壁の内周の側面に、水平方向に波形水切りを設ける。以上のごとく構成された、洋式トイレ用飛散防止具であることを特徴とする。
【発明の効果】
【０００５】  本発明は、洋式トイレ使用時に生ずる便器外部への排尿等の飛散を防ぎ、清掃も便座裏側だけで済むので効率的及び衛生的である。
【発明を実施するための最良の形態】
【０００６】  以下、本発明の実施の形態を説明する。
（イ）便座裏内周形状に沿ったＴ字型の下がり壁（１）を、弾力性ある素材で形成する。弾力性のある素材としてはシリコンが良いと思われる。また、この際シャワートイレの場合あってはノズル収納部手前までとする。Ｔ字型の下がり壁の垂線の先端を２段水切りとし、使用時の水切り効果を高める。また、Ｔ字型下がり壁の内周の側面には、水平方向に波形水切りを設ける事によって、便座を開けた時の縦方向の水切り効果を高める。
（ロ）前記Ｔ字型下がり壁と便器本体をより密着させるための密着用板（６）を形成する。素材は、シリコンが良いと思われる。
本発明は、以上の構成よりなっている。
本発明を取り付けるときは、前記、Ｔ字型の下がり壁（１）を波形水切り（３）が内側になるように便座（７）裏側全周に両面テープ（１２）で貼る。便器本体（８）との隙間は、密着用板（６）を貼ることによって密着度を増す。
したがって、図７のように便器と便座の隙間（１１）を塞ぐことにより、使用時の飛散を防ぐ事が出来る。図５のように便座を開けたとき、波形水切り（３）によりＴ字型の下がり壁（１）側面に付着した飛散物をタテに流す事が出来る。
【実施例】
【０００７】  上記以外の実施例として、Ｔ字型下がり壁を便座と一体成形にすることにより、便器本体との収まりが良く精度も上がり、日々のメンテナンスも楽な便器の実施例も考えられる。
【図面の簡単な説明】
【０００８】
【図１】  本発明の実施例を示す、部分を取り出した拡大斜視図
【図２】  飛散防止具装着前の便座を開けたときの便器全体の斜視図
【図３】  飛散防止具装着前の便座を閉めたときの便器全体の斜視図
【図４】  図３のＡ−Ａ断面図
【図５】  飛散防止具装着後の便座を開けたときの便器全体の斜視図
【図６】  飛散防止具装着後の便座を閉めたときの便器全体の斜視図
【図７】  図６のＢ−Ｂ断面図
【図８】  図７の取り付け部位拡大図
【符号の説明】
【０００９】    １  下がり壁
２  二段水切り
３  波形水切り
４  台座用切り欠き
５  便座取り付け面
６  密着用板
７  便座
８  便器本体
９  台座
１０  シャワートイレ用ノズル収納部
１１  隙間
１２  両面テープ
【図１】
2006141949.tif 000003
【図２】
2006141949.tif 000004
【図３】
2006141949.tif 000005
【図４】
2006141949.tif 000006
【図５】
2006141949.tif 000007
【図６】
2006141949.tif 000008
【図７】
2006141949.tif 000009
【図８】
2006141949.tif 000010
(57)【要約】      （修正有）【課題】頭髪にパーマを施術する際には、薬液が流出するのを防止する。【解決手段】布タオル又は高分子吸収体使用の紙タオルと表面全体がマジックテープのパイル状になっている伸縮性を有するベルト１を一体構造にし、平面のタオル地はマジックテープ７で簡単に折りたたみターバン状に成型出来る為に乾燥は拡げて干せる。使用時にはターバン状のタオル地３が常に外周からベルト１で地肌に圧着されるので、薬液を吸収しても、地肌との間に隙間を生じる事は無い。ベルトの両端の裏側に付けたコック部２は任意の所に留められるので、求める圧着力は自由に調節出来る。【選択図】図１
2006141942.tif 000002
【特許請求の範囲】
【請求項１】
本発明品は吸水機能を有する布タオル又は高分子吸収体使用の紙タオルと伸縮性を有するマジックテープベルトを一体構造化させ、薬液及び水分が頭部以外へ流出するのを防止する為に使用するタオルターバンである。
すなわち、図１で示す様にベルト▲１▼は伸縮性を有し、しかも表面全体がマジックテープのパイル状になっており、両端の裏面にはマジックテープのフック部▲２▼が装着されている。▲３▼タオル地は十分な吸水力を保つ為と乾燥させ易さを求める為にある程度の大きさが有る平面的な物を使用し、ベルト状に折りたたみ易くする為に２本のミシン目▲４▼が入れてある。
長方片側一辺には、ベルトを通す為の切れ目▲５▼を数ヶ所作り、出来た穴を通してベルトを通し、おおむね中央部▲６▼でタオルとベルトを縫い合わせ一体化させる。その他タオル地には図２で示す様に、平面のタオルをベルト状に成形する為のマジックテープ▲７▼が数組とターバン状に成形したタオル自体を留める為の大き目のマジックテープ▲８▼が縫い付けられている。
又、ベルト▲１▼の両側には図２で示す様に、装着を容易にする為、ベルトの一方又は両方にベルトを通す為の切れ目▲９▼が設けてある。タオルターバンを頭髪の外周に沿って巻き付け、▲８▼のマジックテープで留めた後、ベルトの一方を▲９▼の切れ目を通して交差させ、両端のフック部▲２▼をベルトの表面の任意の所に定着させると、タオルターバン全体は均一な密着力で頭部に装着される。
【請求項２】
使用するタオル地の厚さや幅、長さは用途により異なる場合も有り、タオル地の素材は木綿に限らず、化学繊維を使用したものやゴム素材を編み込んで、タオル地自体に伸縮性を持たせた物を使用する場合も有る。
又、布地はタオル地以外のものを使用する場合もある。
【請求項３】
使用するベルトは化学繊維素材の物に限らず、伸縮性を有して表面がマジックテープのパイル状機能を有すれば、素材にはこだわらず使用する事が出来る。又、一本のベルト状で使用する場合に限らず、布地の両端や一部又は全体に縫い付け、使用する場合もある。又、複数のベルトを使用する場合もあり、▲９▼の切れ目穴は縦の場合も有る。
【請求項４】
平面のタオル地を折りたたみ、ベルト状の形態を保ち使用する機能を創造する物であれば、マジックテープに限らず、用途により、ホック、ボタン、ファスナー等を使用する場合も有る。又は、用途により一枚のタオル地をターバン状にして折りたたまずに使用する場合もあり、ベルトを通す切れ目穴は図１に示す数には限らない。
【請求項５】
布タオル地のかわりに、高分子吸収体使用の紙タオルターバンの片面に▲１▼のベルトを通し一体化させ、布タオル使用の本発明品と同様の機能を有させて、使用する事が出来るし、吸水能力の高いＰＶＡスポンジや各種素材の不織布を使用する場合も有る。
【請求項６】
マジックテープの機能を利用するベルトのかわりに、ゴムベルト等やその他各種、伸縮性を有する素材を用いたベルトの両端に長さ調整機能を有する留め具を取り付け使用する場合も有る。
【発明の詳細な説明】
【発明の詳細な説明】
【０００１】発明品が使用される分野
本発明品は、理、美容室で施術されるパーマ時に、頭髪の周囲に巻き付け、薬液、水分が頭部外へ流出するのを防止する為に使用するのを主目的としたタオルターバンである。
【０００２】従来
従来は乾いたタオルを巻き付け、吸水して伸びてダレてしまったら、新しい乾いたタオルで巻き替えていた。
【０００３】発明品の解決しようとする課題
布タオル及び紙タオルは本来十分な吸水能力を有しているのだが、少しでも水分を吸水すると、地肌との間に隙間が生じ易くなる欠点がある為、本来一枚で済む作業に数枚の乾いたタオルを使用しなければならず、不快感を供う作業であった。又、単にタオル地を折りたたみ厚みを増して厚く成型したターバン状にした物では、乾燥性に乏しく、実用性がない。
【０００４】本発明品は実用性を高める為に、乾燥させる時には拡げて干せて使用する時にはターバン状に簡単成型出来るタオル地とマジックテープの機能を有する伸縮性の有るベルトを一体化させた構造にして利便性とファッション性も高めた。すなわち図１で示す様にベルト▲１▼は伸縮性を有し、しかも表面全体がマジックテープのパイル状になっており、両端の裏面にはマジックテープのフック部▲２▼が装着されている。▲３▼タオル地は十分な吸水力を保つ為と乾燥させ易さを求める為にある程度の大きさが有る平面的な物を使用し、ベルト状に折りたたみ易くする為に２本のミシン目▲４▼が入れてある。長方片側一辺には、ベルトを通す為の切れ目▲５▼を数ヶ所作り、出来た穴を通してベルトを通し、おおむね中央部▲６▼でタオルとベルトを縫い合わせ一体化させる。その他タオル地には図２で示す様に、平面のタオルをベルト状に成形する為のマジックテープ▲７▼が数組とターバン状に成形したタオル自体を留める為の大き目のマジックテープ▲８▼が縫い付けられている。又、ベルト▲１▼の片側には図３で示す様に、装着を容易にする為、ベルトの一方を通す為の切れ目▲９▼が設けてある。タオルターバンを頭髪の外周に沿って巻き付け、▲８▼のマジックテープで留めた後、ベルトの一方を▲９▼の切れ目を通して交差させ、両端のフック部▲２▼をベルトの表面の任意の所に定着させると、タオルターバン全体は均一な密着力で頭部に装着される。
【０００５】発明品の効果
本発明品は、理、美容室店舗内でのパーマ施術時に使用し、事故防止と安全性を高める事が主目的であるが、非常に高い防水効力は、シャンプー設備の無い場所、福祉施設や病院内等での、着衣、着座姿勢でも簡単にシャンプーサービスの提供が可能となり、簡単な構造ながら、社会的に大変価値の高い発明品である。
【図面の簡単な説明】
【０００６】
【図１】本発明品の構造図である。
【図２】使用に際して、ベルト状に成型した斜視図である。
【図３】頭部に装着させた想定図
【符号の説明】
【０００７】▲１▼  表面がパイル状になっている伸縮性を有するベルト
▲２▼  マジックテープフック状部
▲３▼  タオル地
▲４▼  ミシン目
▲５▼  ベルトを通す切れ目穴
▲６▼  縫い付け箇所
▲７▼  数組のマジックテープ
▲８▼  マジックテープ（ターバン装着用）
▲９▼  ベルト装着用切れ目穴
【図１】
2006141942.tif 000003
【図２】
2006141942.tif 000004
【図３】
2006141942.tif 000005
(57)【要約】【課題】生理用品と生理用品を包む個包装体が、剥離及び、離脱してしまう為、狭い場所での生理用品及び、個包装体の取り替え時の、置き場や、装着、廃棄に手間や時間がかかっていたことを課題とする。【解決手段】生理用品と生理用品を包む個包装体を一体化させ、剥離及び、離脱しないで下着に装着できることを特徴とする生理用品。【選択図】図２
2006141943.tif 000002
【特許請求の範囲】
【請求項１】
生理用品本体を包む個包装体を一体化させ、生理用品本体から個包装体を剥離及び、離脱させない事を特徴とする生理用品。
【発明の詳細な説明】
【技術分野】
【０００１】  この発明は、生理用品、おりものシート、あるいは軽失禁シートなどのような生理用品と個包装体を一体化し、剥離及び、離脱させない為の個包装体に関するものである。
【背景技術】
【０００２】  従来、生理用品を装着するためには、使用済み生理用品を下着から剥がし、新しい生理用品本体と個包装体を剥離させ、生理用品本体を下着に装着する。そして、使用済み生理用品本体を個包装体に包み廃棄していた。
そのため交換、装着時や廃棄に長い時間がかかり、取り替え時の生理用品と個包装体の置き場にも困り不便であり、なおかつ手間が掛かっていた。
【発明の開示】
【発明が解決しようとする課題】
【０００３】  上記の技術によれば、使用前、使用後の生理用品及び個包装体の交換作業や廃棄が不便で、手間が掛かりがちだった。
そこで、この発明は生理用品及び個包装体が剥離、離脱しないために、使用前、使用後の生理用品及び、個包装体の置き場にも困らず、簡単に交換作業ができ、装着の時間を短縮できる生理用品を提供することを課題とする。
【課題を解決するための手段】
【０００４】  上記の課題を解決するために、請求項１の発明は、生理用品を包む個包装体を生理用品本体から剥離及び、離脱させない事を特徴とする生理用品である。
【発明の効果】
【０００５】  上記にて説明したように、この発明によれば生理用品と個包装体を剥離及び、離脱させない事で、使用前、使用後の生理用品及び個包装体の交換、装着、廃棄時間の短縮ができ、置き場にも困らずに、使用しやすい効果がある。
【発明を実施するための最良の形態】
【０００６】以下に図を参照しつつ、この発明の好ましい実施の形態を図１、図２で詳細に説明する。
図１では、生理用品本体と個包装体を剥離、及び離脱しないようにし、生理用品本体を折り包んだ個包装体である。
（１）の線を開け（２）と（３）を開封することで生理用品が現れる。【０００７】図２では、生理用品本体と個包装体を開封後の状態と、装着時の状態である。そこで図２のように（２）と（３）を生理用品の裏側に折り返し、そのまま下着に装着することが出来る。
使用後は生理用品の裏側に折り返した（２）と（３）を元に戻し、生理用品本体を包み込み廃棄することが出来る。【０００８】図２の実施形態では、生理用品と個包装体の付着部が中央部に描かれているが、どの部分でも良い。
【図面の簡単な説明】
【０００９】
【図１】  この発明の実態形態で示す正面図である。
【図２】  この発明の実態形態で示す正面図である。
【符号の説明】
【００１０】１  個包装体の、包装開封線
２、３、  個包装体
４  本体
５  本体と個包装体の付着部
【図１】
2006141943.tif 000003
【図２】
2006141943.tif 000004
(57)【要約】【課題】  革靴を脱いだり履いたりする機会の多い和風生活をスムースにさせ、又ファッション性をもたらせた靴べら入れ付き靴を提供する。【解決手段】  靴べら（１）が入れられる靴べら入れ（４）を靴（６）に装着させた事を特徴とする。【選択図】  図２
2006141944.tif 000002
【特許請求の範囲】
【請求項１】
靴べろに靴べら入れを設けた靴べら入れ付き靴
【請求項２】
靴べらに取りだし用つまみを設けた靴べら入れ付き靴
【請求項３】
靴べらに足首用痛み止めを設けた靴べら入れ付き靴
【発明の詳細な説明】
【発明の詳細な説明】
【技術分野】
【０００１】  本発明は靴べらの携帯を容易にするものであり、更に靴べらの装着及び脱着に快適性をもたらせた靴べら入れ付き靴に関するものであります。
【背景技術】
【０００２】  従来、靴べらの携帯にはスマートさが無く、携帯にかさばったり又携帯するのを忘れる事が多かった。
【発明が解決しようとする課題】
【０００３】  （イ）靴べらの携帯を忘れる事が多かった。
（ロ）靴べらを携帯するのにかさばった。
【課題を解決するための手段】
【０００４】  靴べろに、脱着が容易でソフトタッチな靴べらを装着させた靴べら入れ付き靴であります。
【発明を実施するための最良の形態】
【０００５】  以下、本発明の実施の形態を説明致します。
（イ）靴（６）に靴べら入れ（４）を設けます。
（ロ）靴べら入れ（４）の靴べら出し入れ口（５）から靴べら（１）を脱着させます。
（ハ）靴べらには取りだし用つまみ（３）や足首用痛み止め（２）をもうけます。
（ニ）足首用痛め止め（２）には、色彩や形状にファッション性持たせる為に靴を履いたときに表に出る様にします。
【発明の効果】
【０００６】  本発明により、靴べらの携帯忘れが無くなり、靴の脱着度の多い和風生活の煩わしさが逆に快適となり、靴を履く事に楽しさを覚え、精神衛生の向上をもたらせます。
【図面の簡単な説明】
【図１】  本発明の靴べらの斜視図
【図２】  本発明の靴べら入れの斜視図
【図３】  本発明の靴の斜視図
【符号の説明】
１  靴べら
２  足首用痛み止め
３  取りだし用つまみ
４  靴べら入れ
５  靴べらの出し入れ口
６  靴
７  靴べら入れを設けた靴べろ
【図１】
2006141944.tif 000003
【図２】
2006141944.tif 000004
【図３】
2006141944.tif 000005
(57)【要約】【課題】従来の札入れ等に付いているカードケースは収納枚数が限られ取り出しにくく整理が困難である。【解決手段】ケースを扇形にスライドさせカードを収納することにより、一目で判別し取り出すことが可能となる。【選択図】図１
2006141945.tif 000002
【特許請求の範囲】
【請求項１】
扇形にスライドすることを特徴とするケース
【請求項２】
前記ケースを札入れ等にセットすることも出来るケース。
【請求項３】
大きさを変えることによりファイリングケースとしても使用出来るケース。
【発明の詳細な説明】
【技術分野】
【０００１】  この発明は、収納などに用いるケースの形状に関する。
【背景技術】
【０００２】  従来のカード収納に用いるケースの形状を数枚扇形に重ねたものである。
【発明の開示】
【発明が解決しようとする課題】
【０００３】  今日の技術による札入れに付いているカードケースは収納枚数が限られる為数枚を重ねることにより取り出しや整理が困難である。そこで、この発明は見やすく取り出しやすく整理することを課題とする。
【課題を解決するための手段】
【０００４】  以上の課題を解決するために、第一発明は、扇形にスライドすることを特徴とするカードケースである。又第２発明は、札入れにセットして使うことも出来るケースである。第３発明は、大きさを変えることによりファイリングケースとしても使用出来る。
【発明の効果】
【０００５】  第一発明、または第二発明によればケースをスライドさせることにより見やすく取り出しやすく整理できる。
【発明を実施するための最良の形態】
【０００６】  この発明の一実施形態を、図１に示す。
この本体を１とし、数枚を重ね角部を固定し扇形にスライドさせ底部を接続する。【０００７】「実施形態の効果」
この実施形態によれば、ケースをスライドさせることによりカード等が見やすく取り出しやすく整理できる。【０００８】「他の実施形態」
図１の実施形態では、大きさを変える事によりファイリングケースとしての利用が可能となる。
【図面の簡単な説明】
【０００９】
【図１】この発明の一実施形態を示す斜視図である。
【符号の説明】
【００１０】  １  クリアケース      ２  固定部
３  接続部
2006141945.tif 000003
2006141945.tif 000004
2006141945.tif 000005
【手続補正書】
【提出日】平成17年3月1日(2005.3.1)
【手続補正２】
【補正対象書類名】明細書
【補正対象項目名】０００９
【補正方法】変更
【補正の内容】
【０００９】
【図１】この発明の一実施形態を示す斜視図である
【図２】〔図１〕の１に示すクリアケース数枚を重ね角部を固定し扇形にスライドさせた図である
【図３】〔図２〕の２に示す扇形にスライドさせた裏面底部の接続部の図である。
【手続補正３】
【補正対象書類名】図面
【補正対象項目名】全図
【補正方法】変更
【補正の内容】
【図１】
2006141945.tif 000006
【図２】
2006141945.tif 000007
【図３】
2006141945.tif 000008
(57)【要約】【課題】  電動歯ブラシ歯において、ブラシは楊枝型を採用し、歯ブラシを軸方向に微細往復運動させ、また歯ブラシは単独で駆動機構部から切り離して交換できるような電動歯ブラシを提供する。【解決手段】  電動歯ブラシのモーター回転軸に結合されたカムと、カム端面に接し倣い往復運動する倣い軸と、倣い軸を元に戻すための力を与えるコイルばねと、倣い軸の回転を拘束しコイルばね端を拘束するための軸受けと、歯ブラシの楊枝を連結するための倣い軸先端に結合したグリップに楊枝型歯ブラシを連結する。【選択図】      図１
2006141941.tif 000002
【特許請求の範囲】
【請求項１】
モーター回転軸に結合されたカムと、カム端面に接し倣い往復運動する倣い軸と、倣い軸を元に戻すための力を与えるコイルばねと、倣い軸の回転を拘束しコイルばね端を拘束するための軸受けと、歯ブラシの楊枝を連結するための倣い軸先端に結合したグリップとから成ることを特徴とする電動歯ブラシ。
【請求項２】
前記の電動歯ブラシで、倣い軸の倣い部分にローラーを設けることを特徴とする電動歯ブラシ。
【発明の詳細な説明】
【技術分野】  本発明は、電動歯ブラシの駆動機構に関する。
【背景技術】  電動歯ブラシにおいて、形状が円形のブラシを回転または反復回転させている。図３は、従来の回転式電動歯ブラシの外観図である。この電動歯ブラシにおいては、ブラシと回転機構が一体となって、ブラシの交換用のスペアーブラシを構成している。
【発明の開示】
【発明が解決しようとする課題】  従来の電動歯ブラシにおいては、ブラシを交換する場合、ブラシと共に回転機構部も交換しなくてはならないため、スペアーブラシが高価となる。
歯を磨く時に、ブラシと共にブラシに近接している回転機構部も口腔内に入ることとなり、唾液や磨きかすが回転機構部に進入し、衛生的でない。
また、ブラシを回転させると、その遠心力によって唾液や磨きかすを周囲に飛散させる恐れがある。ブラシを回転させて歯を磨くと、ブラシの毛先は対象物に対し一方方向のみに動くため、微細な窪みに毛先が届かず、歯磨きの効果を十分に発揮できない。
本発明は、かかる問題点に鑑みてなされたものであって、歯ブラシは楊枝型を採用し、歯ブラシを軸方向に微細往復運動させ、また歯ブラシは単独で駆動機構部から切り離して交換できるような電動歯ブラシを提供することを目的とする。
【課題を解決するための手段】  本発明に係わる電動歯ブラシは、モーター回転軸に結合されたカムと、カム端面に接し倣い往復運動する倣い軸と、倣い軸を元に戻すための力を与えるコイルばねと、倣い軸の回転を拘束しコイルばね端を拘束するための軸受けと、歯ブラシの楊枝を連結するための倣い軸先端に結合したグリップとから成ることを特徴とする。
【発明の効果】  以上詳述したように、本発明によれば、カム１０の端面の傾き角θを適当にすることにより、歯ブラシは微細な往復運動をする。この微細な往復運動により、歯ブラシの毛先は、細かい窪みに入り込み、歯磨きの効果を向上する。また歯ブラシの運動が微細な往復運動であるため、唾液や磨きかすの飛散は少ない。また、歯ブラシは楊枝部分のみの交換で済み、スペアーの歯ブラシが安価となる。
【発明を実施するための最良の形態】
【実施例１】  以下、本発明の実施例について、添付の図面を参照して具体的に説明する。
図１（ａ）は本発明の実施の形態に係わる電動歯ブラシの全体を示す断面図である。図１（ｂ）は歯ブラシ駆動部の拡大断面図である。図２は歯ブラシ駆動部の倣い軸にローラーを採用した場合のこの駆動部の拡大断面図である。
図１（ａ）に示すように、本発明の電動歯ブラシは、本体ケーシング１、歯ブラシ２、直流モーター３、駆動部４、電池５、押しボタンスイッチ６、底部蓋７で構成される。モーター３の軸の回転運動を駆動部４で往復運動に変換することにより、歯ブラシ２を往復運動させる。図１（ｂ）に示すように、モーター軸８にカム９が結合されている。カム９の端面は、軸に鉛直な面にたいし角度θだけ傾斜している。このカム９の端面に突起部を接して倣い軸１０が組み込まれている。
倣い軸には、コイルばね１１が組み込まれ、軸受け１２をチューブ１３に固定することによりコイルばねの他端を拘束し、コイルばねの反発力により倣い軸１０をモーター側に押し付けている。軸受け１２の内断面は多角形をしていて、カム断面もこの部分は同じ多角形とし、軸方向の運動は可能とするが、軸の回転は拘束するようになっている。カム９が回転することにより、倣い軸１０の突起部は、カム９の端面に接して滑り、倣い軸１０は、軸方向に運動する。コイルばねの反発力により倣い軸１０は常にモーター側に押し付けられているので、カム１０の回転数に同期して、倣い軸は軸方向に往復運動する。倣い軸先端にグリップ１４を結合し、歯ブラシ２をこのグリップに連結する。
押しボタンスイッチ６を押すことにより歯ブラシは軸方向に往復運動する。
【実施例２】  前期の実施例において、図２に示すように倣い軸１０の倣い部にローラーを設け、カム９と倣い軸との相対運動をより滑らかにする。
【図面の簡単な説明】
【図１】（ａ）は本発明の実施形態に係る電動歯ブラシ全体とその縦断面図、（ｂ）は（ａ）のＫで囲んだ駆動部の拡大断面図である。
【図２】図１中の駆動部４にローラーを設けた場合の駆動部４の拡大断面図である。
【図３】従来の回転または反復回転式の電動歯ブラシの外観図である。
【符号の説明】
１；本体ケーシング
２；歯ブラシ
３；直流モーター
４；駆動部
５；電池
６；押しボタンスイッチ
７；底部蓋
８；モーター軸
９；カム
１０；倣い軸
１１；コイルばね
１２；軸受け
１３；チューブ
１４；グリップ
１０１；ローラー
１０２；軸
【図１】
2006141941.tif 000003
【図２】
2006141941.tif 000004
【図３】
2006141941.tif 000005
(57)【要約】【課題】  従来の宗教用具で仏壇などに用いられる仏りんに使われるリン台は通常座布団などを利用しているためにこれと言った音に対する工夫がされてこなかった。この点を鑑み、仏りんの音の響きや反響を変化させ音を改善させるリン台を提供することが本発明の課題である。【解決手段】仏りんをリン台の棒状支持部で支持するリン台において、リン台基台部の上面に凹部を設け、凹部を有していることを特徴とするリン台とした。音を反射構成面で変化させるに際して凹部を用い反射構成面を凹面とした。【選択図】  図１
2006141868.tif 000002
【特許請求の範囲】
【請求項１】
仏りん（２）をリン台（１）の棒状支持部（１−２）で支持するリン台において、
リン台基台部（１−１）の上面（１−１１）に凹部（４）を有していることを特徴とする
リン台。
【請求項２】
リン台基台部（１−１）の上面（１−１１）に光学的反射率の高い加工面を有することを
特徴とした請求項１に記載のリン台。
【発明の詳細な説明】
【技術分野】
【０００１】
葬祭用具であって仏壇などの祭壇で使用する仏りんを支えるリン台に関するものである。
【背景技術】
【０００２】
従来のリン台はリン台に座布団を置き、そのうえに仏りんをおいて、仏壇などの祭壇に置くなどして利用されてきた。最近では、支持台より、棒状支持部で仏りんを支持する座布団を必要としない仏りんと一体化したものがある。仏りん本体と支持台とからなる仏りんとして、実用新案登録番号第３０５４６０７号（登録日平成１０年（１９９８）９月２４日））に見られる高台りんが提案されている。支持台と仏りん本体とを連結したことを特徴としている。ここで表現されている支持台は本発明のリン台に属する。
【０００３】
一方では、本発明に属さないが、梵鐘なる鳴り物がある。論文「Ａｎａｌｙｓｉｓ  ｏｆ  ｓｔｒｕｃｔｕｒｅ−ｂｏｒｎｅ  ｓｏｕｎｄ  ｏｆ  ｖａｒｉｏｕｓ  ｓｙｓｔｅｍｓ」では梵鐘をコリアンベルと称して、音に関しての研究が発表されている。この論文のなかで、「ｓｏｕｎｄ  ｈｏｌｅ」として梵鐘の真下に設けられた穴が梵鐘の音の重要な要素のひとつであることが説明されている。日本の梵鐘においても、梵鐘の真下に壷を埋めたり、穴を開けたりして、音の響きを好ましい音色のするよう工夫されている。このように梵鐘本体の工夫以外でも、好ましい音色にするために、工夫が施されている。
【０００４】
【特許文献１】実用新案登録番号第３０５４６０７号
【非特許文献１】Ａｎａｌｙｓｉｓ  ｏｆ  ｓｔｒｕｃｔｕｒｅ−ｂｏｒｎｅ  ｓｏｕｎｄ  ｏｆ  ｖａｒｉｏｕｓ  ｓｙｓｔｅｍｓ  著者：Ｊａｎｇ  Ｍｏｏ  Ｌｅｅ（Ｓｃｏｏｌ  ｏｆ  Ｍｅｃｈａｎｉｃａｌ  ａｎｄ  Ａｅｒｏｓｐａｃｅ  Ｅｎｇｉｎｅｅｒｉｎｇ、Ｓｅｏｕｌ  Ｎａｔｉｏｎａｌ  Ｕｎｉｖｅｒｓｉｔｙ）その他：ｉｎｔｅｒ・ｎｏｉｓｅ２００３（２００３年８月２５〜２８日）にて発表
【発明の開示】
【発明が解決しようとする課題】
【０００５】
しかしながら、（前述のように、梵鐘などは梵鐘本体以外においても音に対して工夫がされているにもかかわらず）仏りんにおいては、仏りん本体以外にさほど、音の響きや反響に関する工夫がされてこなかった。特に本発明に属するリン台においては、昨今まで座布団の上に仏りんを置くといった構成がひろく一般的であったこともあり、音の響きや反響に関する工夫がまったく省みられなかった。
【０００６】
前記リン台において、リン台を利用し音の響きや反響の周波数特性を変化させ、音の響き反響を改善することが、本発明の課題である。
【課題を解決するための手段】
【０００７】
仏りんをリン台の棒状支持部で支持するリン台において、リン台基台部の上面に凹部を設
け、凹部を有していることを特徴とするリン台とした。音を反射構成面で変化させるに際
して凹部の凹面を用いた。
【０００８】
さらに、リン台基台部の上面に光学的反射率の高い加工面を有すると後述する好ましい効
果を得ることができる。
【発明の効果】
【０００９】
リン台に凹部による音の反射構成面（凹面）を与えることで、音の指向性を変化させ、心地よい音響を与える。
【００１０】
とくに仏りんが梵鐘型形状であると、仏りん内部の空洞部とあいまって、音の反響効果は大きくなり、音の響きや反響がより好ましい。
【００１１】
凹部をうまく工夫すると、スリット部をかなり狭くしても仏りんが大きく揺れたときに、ぶつかるなどの干渉を防ぐ構成にすることができる。
【００１２】
スリット部を狭くすることは、大きく揺れるように構成された仏りんが、一定の周期で揺れることにおこる音の揺らぎにめりはりを強く与えるため、音に深みが出てくる。
【００１３】
リン台基台部の上部が光学的反射率の高い加工面を有すると、音も同様にその部分で、反射率が高く、効率的に音を響かせることができる。また、他の側面との色彩的差異ができるため、仏りんが揺れるたびに、揺れ具合がはっきりわかるため、揺れの強弱を理解できる。このことは、仏りんを叩く際のひとつの目安となって好ましい。
【００１４】
また、スリット部から反射光が仏壇などの祭壇を明るく照らすこともできるため、デザイ
ン的にも優れている。
【発明を実施するための最良の形態】
【００１５】
本発明の形態を図に基づいて説明する。本発明の基本構成は簡易な回転体を用いて説明可能であるので、主に縦断面図を用いて説明する。
【実施例１】
【００１６】
図２で説明する。図２は縦断面図で、図１の正面図に対するＡ−Ａ断面図である。この構成は回転体形状で表すことができ、左側面図、右側面図、背面図とも正面図と同一に表れる。
【００１７】
図２にみられるように、仏りん（２）を棒状支持部（１−２）で支持している。りん台基台部（１−１）の上面（１−１１）が凹部（４）を有している。この凹部は複数あっても良い。好ましくは、スリット部（３）が狭く構成されていると、揺れるたびにスリット部（３）からの音の漏れが揺れの周期的に制御され、仏りんの音の大事な構成要素とされるうなりと相まって、すばらしく味わいの深い音を提供することが可能である。
【実施例２】
【００１８】
図３は縦断面図である。実施例２は実施例１と同様に回転体で表すことができる形状であるため、実施例１と同様に断面図で説明する。図３のような、深みのあるバケツ形状の凹部（４）であっても良い。凹部が球面である必要性はない。
【実施例３】
【００１９】
もちろん、図４のように仏りん（２）の凹面部が上面を向いたタイプの仏りんに用いてもよい。
【図面の簡単な説明】
【００２０】
【図１】本発明の実施形態を示す正面図である。
【図２】図１のおけるＡ−Ａ断面図である。
【図３】本発明の実施形態を示す縦断面図である。
【図４】本発明の実施形態を示す縦断面図である。
【符号の説明】
【００２１】
１        リン台
１−１    リン台基台部
１−１１  上面
１−２    棒状支持部
２        仏りん
３        スリット部
４        凹部
【図１】
2006141868.tif 000003
【図２】
2006141868.tif 000004
【図３】
2006141868.tif 000005
【図４】
2006141868.tif 000006
(57)【要約】【課題】  自動車の前柱と後柱に遮られる視覚上の死角から生じる潜在的危険を消減できる看視装置を提供する。【解決手段】  二本の前柱２と二本の後柱にそれぞれカメラ１０を固設して、そのレンズ１１は自動車の外部に向ける様にし、更にディスプレー２０を各前柱２と後柱に設置して、運転する人の方に向けてその正面のスクリーンが直接運転者に見られる様にする。更に各カメラ１０と各ディスプレー２０との間は信号を伝達する電線３０を連結しておき、他に電源器４０を設置して各カメラ１０と各ディスプレー２０とに電源電線４１を連結して必要な電力を供給する。【選択図】    図３
2006213267.tif 000002
【特許請求の範囲】
【請求項１】
自動車の前柱に取り付けられ、レンズは自動車の外部に向き、前記前柱に遮られて運転者が見ることが出来ない死角の道路状況と景色を前記のレンズが取り入れることが出来るカメラと、
前記カメラを取り付けてある前記前柱の内部に固設され、運転者がその正面を見られる様に設置されるディスプレーと、
前記カメラと前記ディスプレーの間に連結され、前記カメラのレンズが取らえた画像の信号を前記ディスプレーに送る電線と、
自動車に設置され、電線により前記カメラと前記ディスプレーに電気を供給する電源器と、
を備えることを特徴とする自動車の前柱の死角を偵察する看視装置。
【請求項２】
前記ディスプレーはその厚みが薄く、その幅は前記前柱の幅とほぼ等しいことを特徴とする請求項１に記載の看視装置。
【請求項３】
前記看視装置は自動車の二本の前柱と二本の後柱に取り付けられる各カメラと、各ディスプレーとを有し、前記各カメラと前記各ディスプレーは一本の電線で連結されていることを特徴とする請求項１に記載の看視装置。
【請求項４】
前記電源器は蓄電池であることを特徴とする請求項１記載の看視装置。
【請求項５】
前記カメラのレンズはその角度と倍率を調節可能であることを特徴とする請求項１に記載の看視装置。
【発明の詳細な説明】
【技術分野】
【０００１】
本考案は、自動車の前柱に遮られて見えない所即ち死角を偵察できる看視装置に関する。
【背景技術】
【０００２】
現在の社会において、自動車は生活の不可欠な交通器具にして、そのアクセサリーは各種の様ざまなものがあり、特に走車上に人や車自身の安全を維持するものが絶えず設計され提供されている。その中でよく見かけるものには自動車をバックするのに使用されるレーダーバック装置、バックミラー等があり、それに伴うセンサーがバックバンパーに付設されて、バックミラーで見る時の死角が生ずる欠点を補う。
【発明の開示】
【発明が解決しようとする課題】
【０００３】
そこで、本発明は従来の自動車の前柱と後柱に遮られる視覚上の死角から生じる潜在的危険を消減できる看視装置を提供することをその課題とする。
【課題を解決するための手段】
【０００４】
上記の課題を解決する手段として本発明は二本の前柱と二本の後柱にそれぞれカメラを固設して、そのレンズは自動車の外部に向ける様にし、更にディスプレーを各前柱と後柱に設置して、運転する人の方に向けてその正面のスクリーンが直接運転者に見られる様にする。更に各カメラと各ディスプレーとの間は信号を伝達する電線を連結しておき、他に電源器（例えばバッテリー）を設置して各カメラと各ディスプレーとに電線を連結して必要な電力を供給する。
【０００５】
本看視装置の各前柱と各後柱に据え付けているカメラはそのレンズが各柱にかくされて見えない死角の道路状況、即ち人と色々な車の走行状態をとらえて信号を各ディスプレーに送りそのスクリーンに画像を表示するため、その前に坐っている運転者は自動車の左右と後から走ってくる車などが見えるので意外な事故が起こらない様に必要な措置を取ることができ、運転者自身と運転者の自動車を安全に守るほか、道路上の通行人と他の車等を保護できる。
【発明を実施するための最良の形態】
【０００６】
本発明の一実施例による自動車の前柱の死角を偵察する看視装置は図１と図２とが示す様に、四個のカメラ１０と、四個のディスプレー２０と、四本の信号電線３０と、電源器４０とを組み合わせて構成される。
四個のカメラ１０はそれぞれ自動車の二本の前柱２と二本の後柱３に固設され、そのレンズ１１は自動車の外部を向く。レンズ１１の角度とその倍率を適当に予め調節しておけば、レンズ１１は前柱２と後柱３とに遮られる車外の道路状況を受け入れられる。
【０００７】
四個のディスプレー２０は厚みをとても薄くしておき、幅はほぼ前柱２と後柱３の幅と同じとし、長さも前柱２と後柱３の長さと大体同じにしておく。そして各前柱２及び後柱３の内部に適当に固定し、運転者が正面から前方のディスプレー２０を見れたり、或いはバックミラーで後方のディスプレー２０が見られる様に設置する。
【０００８】
四本の信号電線３０は各カメラ１０と関係のある各ディスプレー２０との間に連結されて、カメラ１０のレンズ１１が受け入れた道路の状況と景色の電気信号をディスプレー２０に送って、そのスクリーンにその画像を表示させて、運転者が見れるようにする。
電源器４０は自動車の中の適当な個所に設置されて電源電線４１で各カメラ１０と各ディスプレー２０に連結し、必要な電気を供給する。
【０００９】
本実施例の看視装置１を使用する時は、運転者が直接二本の前柱２のディスプレー２０からその死角の道路状況と景色を見ることができ、もしも道路上を走行しているほかの車や通行人が急に近づいて危険な事故が起こりそうになった時に速やかに応急の措置を取ることができる。すなわち、死角から生じる潜在的危険を避けることができ、運転者自身や自分の車は勿論、ほかの車と通行人の安全をも確保できる。又、後柱３に設置したディスプレー２０は前方のバックミラーでそのスクリーンに映った道路の状況の画像を見ることができるので前柱２に取り付けたディスプレー２０と同じ様な効果がある。
【図面の簡単な説明】
【００１０】
【図１】本発明の一実施例に係る看視装置の斜視図である。
【図２】本発明の一実施例に係る看視装置の局部側面図である。
【図３】本発明の一実施例に係る看視装置の分解斜視図である。
【図４】本発明の看視装置を使用している状況を示す自動車内のドライバ席からの前面図。
【符号の説明】
【００１１】
１  看視装置、２  前柱、３  後柱、１０  カメラ、１１  レンズ、２０  ディスプレー、３０  電線、４０  電源器、４１  電源電線
【図１】
2006213267.tif 000003
【図２】
2006213267.tif 000004
【図３】
2006213267.tif 000005
【図４】
2006213267.tif 000006